(57)【要約】【課題】同じ放送局が同時間に異なった放送形式で異なった番組を放送する場合、ユーザに通知するデジタル方法受信装置を提供する。【解決手段】第１の放送形式の放送を受信する第１の受信手段２と、前記第１の放送形式とは異なる第２の放送形式の放送を受信する第２の受信手段４と、受信した放送を表示する表示手段２２と、同じ放送局による前記第１の放送形式で放送されている番組と前記第２の放送形式で放送されている番組が同じであるかどうかを判定する判定手段１０とを備え、前記第１の放送形式および前記第２の放送形式のうち一方の放送形式の放送で放送されている番組を表示中、表示中の番組が同じ放送局による他方の放送形式で放送されている番組と異なっている場合、前記他方の放送形式では別の番組が放送されていることを示す表示を行う。【選択図】図１
2011124644.tif 000002
【特許請求の範囲】
【請求項１】
第１の放送形式の放送を受信する第１の受信手段と、
前記第１の放送形式とは異なる第２の放送形式の放送を受信する第２の受信手段と、
受信した放送を表示する表示手段と、
同じ放送局による前記第１の放送形式で放送されている番組と前記第２の放送形式で放送されている番組が同じであるかどうかを判定する判定手段とを備え、
前記第１の放送形式および前記第２の放送形式のうち一方の放送形式の放送で放送されている番組を表示中、表示中の番組が同じ放送局による他方の放送形式で放送されている番組と異なっている場合、前記他方の放送形式では別の番組が放送されていることを示す表示を行うことを特徴とするデジタル放送受信装置。
【請求項２】
前記第１の放送形式および前記第２の放送形式のうち一方の放送形式の放送で放送されている番組を表示中、表示中の番組が同じ放送局による他方の放送形式で放送されている番組と異なっている場合、前記他方の放送形式で放送されている番組の表示に切替える移動ボタンの表示も行うことを特徴とする請求項１に記載のデジタル放送受信装置。
【請求項３】
第１の放送形式の放送を受信する第１の受信手段と、
前記第１の放送形式とは異なる第２の放送形式の放送を受信する第２の受信手段と、
受信した放送を表示する表示手段と、
同じ放送局による前記第１の放送形式で放送されている番組と前記第２の放送形式で放送されている番組が同じであるかどうかを判定する判定手段とを備え、
前記第１の放送形式および前記第２の放送形式のうち一方の放送形式の放送で放送されている番組を表示中、表示中の番組が同じ放送局による他方の放送形式で放送されている番組と異なっている場合、前記他方の放送形式で放送されている別の番組を子画面で表示することを特徴とするデジタル放送受信装置。
【請求項４】
第１の放送形式の放送を受信する第１の受信手段と、
前記第１の放送形式とは異なる第２の放送形式の放送を受信する第２の受信手段と、
受信した放送を表示する表示手段と、
同じ放送局による前記第１の放送形式で放送されている番組と前記第２の放送形式で放送されている番組が同じであるかどうかを判定する判定手段と、
前記第１の放送形式の放送の電子番組表および前記第２の放送形式の放送の電子番組表を生成する電子番組表生成手段とを備え、
前記第１の放送形式の放送の電子番組表において、前記第２の放送形式の放送で別の番組を放送している番組に、前記第２の放送形式の放送で同じ番組を放送している番組と別の色を付け、
前記第２の放送形式の放送の電子番組表において、前記第１の放送形式の放送で別の番組を放送している番組に、前記第１の放送形式の放送で同じ番組を放送している番組と別の色を付けることを特徴とするデジタル放送受信装置。
【請求項５】
第１の放送形式の放送を受信する第１の受信手段と、
前記第１の放送形式とは異なる第２の放送形式の放送を受信する第２の受信手段と、
受信した放送を表示する表示手段と、
同じ放送局による前記第１の放送形式で放送されている番組と前記第２の放送形式で放送されている番組が同じであるかどうかを判定する判定手段と、
前記第１の放送形式の放送の電子番組表および前記第２の放送形式の放送の電子番組表を生成する電子番組表生成手段とを備え、
前記第１の放送形式の放送の電子番組表において、前記第２の放送形式の放送で別の番組を放送している番組にマークを付け、
前記第２の放送形式の放送の電子番組表において、前記第１の放送形式の放送で別の番組を放送している番組にマークを付けることを特徴とするデジタル放送受信装置。
【請求項６】
第１の放送形式の放送を受信する第１の受信手段と、
前記第１の放送形式とは異なる第２の放送形式の放送を受信する第２の受信手段と、
受信した放送を表示する表示手段と、
同じ放送局による前記第１の放送形式で放送されている番組と前記第２の放送形式で放送されている番組が同じであるかどうかを判定する判定手段と、
前記第１の放送形式の放送の電子番組表および前記第２の放送形式の放送の電子番組表を生成する電子番組表生成手段とを備え、
前記第１の放送形式の放送の電子番組表において、前記第２の放送形式の放送で別の番組を放送している番組の情報を表示する領域に、前記第２の放送形式の放送の番組の情報も表示し、
前記第２の放送形式の放送の電子番組表において、前記第１の放送形式の放送で別の番組を放送している番組の情報を表示する領域に、前記第１の放送形式の放送の番組の情報も表示することを特徴とするデジタル放送受信装置。
【請求項７】
前記第１の放送形式はフルセグ放送であり、前記第２の放送形式はワンセグ放送であることを特徴とする請求項１乃至６のいずれか１項に記載のデジタル放送受信装置。
【請求項８】
デジタル放送受信装置における表示方法であって、
第１の放送形式で放送されている番組を受信し、表示するステップと、
前記第１の放送形式で放送されている番組の情報を取得するステップと、
前記第１の放送形式で放送されている番組を放送している放送局と同じ放送局が、前記第１の放送形式と異なる第２の放送形式で放送している番組の情報を取得するステップと、
前記第１の放送形式で放送されている番組の情報と前記第２の放送形式で放送されている番組の情報とを比較し、同じ番組かどうかを判定するステップと、
前記第１の放送形式で放送されている番組と前記第２の放送形式で放送されている番組とが異なる番組の場合、前記第１の放送形式で放送されている番組を表示している画面において、前記第２の放送形式では別の番組が放送されていることを示す表示を行うステップとを含むことを特徴とする方法。
【請求項９】
前記第２の放送形式では別の番組が放送されていることを示す表示を行うステップにおいて、前記第２の放送形式で放送されている番組の表示に切替える移動ボタンをさらに表示し、
前記移動ボタンが押される操作が行われた場合、前記第２の放送形式で放送されている番組の表示に切替えるステップをさらに含むことを特徴とする請求項８に記載の方法。
【請求項１０】
デジタル放送受信装置における表示方法であって、
第１の放送形式で放送されている番組を受信し、表示するステップと、
前記第１の放送形式で放送されている番組の情報を取得するステップと、
前記第１の放送形式で放送されている番組を放送している放送局と同じ放送局が、前記第１の放送形式と異なる第２の放送形式で放送している番組の情報を取得するステップと、
前記第１の放送形式で放送されている番組の情報と前記第２の放送形式で放送されている番組の情報とを比較し、同じ番組かどうかを判定するステップと、
前記第１の放送形式で放送されている番組と前記第２の放送形式で放送されている番組とが異なる番組の場合、前記第１の放送形式で放送されている番組を表示している画面において、前記第２の放送形式で放送されている番組を子画面で表示するステップとを含むことを特徴とする方法。
【請求項１１】
デジタル放送受信装置における表示方法であって、
第１の放送形式で放送される番組の情報を取得するステップと、
前記第１の放送形式とは異なる第２の放送形式で放送される番組の情報を取得するステップと、
同じ放送局が同じ時間帯に放送する前記第１の放送形式で放送される番組の情報と前記第２の放送形式で放送される番組の情報とを比較し、同じ番組かどうかを判定するステップと、
前記第１の放送形式で放送される番組の電子番組表を作成し、表示するステップと、
前記第２の放送形式で放送される番組の電子番組表を作成し、表示するステップとを含み、
前記第１の放送形式で放送される番組の電子番組表において、同じ放送局で同じ時間帯に前記第２の放送形式で別の番組が放送される番組にマークを付け、
前記第２の放送形式で放送される番組の電子番組表において、同じ放送局で同じ時間帯に前記第１の放送形式で別の番組が放送される番組にマークを付けることを特徴とする方法。
【請求項１２】
デジタル放送受信装置における表示方法であって、
第１の放送形式で放送される番組の情報を取得するステップと、
前記第１の放送形式とは異なる第２の放送形式で放送される番組の情報を取得するステップと、
同じ放送局が同じ時間帯に放送する前記第１の放送形式で放送される番組の情報と前記第２の放送形式で放送される番組の情報とを比較し、同じ番組かどうかを判定するステップと、
前記第１の放送形式で放送される番組の電子番組表を作成し、表示するステップと、
前記第２の放送形式で放送される番組の電子番組表を作成し、表示するステップとを含み、
前記第１の放送形式で放送される番組の電子番組表において、同じ放送局で同じ時間帯に前記第２の放送形式で別の番組が放送される番組に、同じ放送局で同じ時間帯に前記第２の放送形式で同じ番組が放送される番組とは別の色を付け、
前記第２の放送形式で放送される番組の電子番組表において、同じ放送局で同じ時間帯に前記第１の放送形式で別の番組が放送される番組に、同じ放送局で同じ時間帯に前記第１の放送形式で同じ番組が放送される番組とは別の色を付けることを特徴とする方法。
【請求項１３】
デジタル放送受信装置における表示方法であって、
前記第１の放送形式とは異なる第２の放送形式で放送される番組の情報を取得するステップと、
同じ放送局が同じ時間帯に放送する前記第１の放送形式で放送される番組の情報と前記第２の放送形式で放送される番組の情報とを比較し、同じ番組かどうかを判定するステップと、
前記第１の放送形式で放送される番組の電子番組表を作成し、表示するステップと、
前記第２の放送形式で放送される番組の電子番組表を作成し、表示するステップとを含み、
前記第１の放送形式で放送される番組の電子番組表において、同じ放送局で同じ時間帯に前記第２の放送形式で別の番組が放送される番組の情報を表示する領域に、前記第２の放送形式で放送される番組の情報も表示し、
前記第２の放送形式で放送される番組の電子番組表において、同じ放送局で同じ時間帯に前記第１の放送形式で別の番組が放送される番組の情報を表示する領域に、前記第１の放送形式で放送される番組の情報も表示することを特徴とする方法。
【請求項１４】
前記第１の放送形式はフルセグ放送であり、前記第２の放送形式はワンセグ放送であることを特徴とする請求項８乃至１３のいずれか１項に記載の方法。
【請求項１５】
請求項８乃至１４のいずれか１項に記載の方法をコンピュータに実行させるプログラム。
【請求項１６】
請求項１５に記載のプログラムを格納したコンピュータ読み取り可能な記録媒体。
【発明の詳細な説明】
【技術分野】
【０００１】
本発明は、デジタル放送受信装置に関する。
【背景技術】
【０００２】
デジタル放送においては、例えばワンセグ放送とフルセグ放送など、同一局で放送形態が異なる複数の放送が行われている場合がある。例えば、同じ局のワンセグ放送とフルセグ放送であれば、通常は同一の番組が放送されるが、ごくたまに、ワンセグ放送とフルセグ放送で異なった番組が放送される場合がある。
【０００３】
特許文献１には、放送を受信する放送受信部を有する方送受信装置において、放送受信部が受信中の放送番組に対応する他装置で受信可能な放送番組を決定する他装置番組決定部と、他装置番組決定部で特定した放送番組を示す情報を他装置に送信する番組情報送信部とをさらに有し、前記特定した放送番組を示す情報を他装置に送信するようにしたことで、異なる放送方式で提供される番組同士を対応付け、継続して視聴し続けることを可能にする放送受信装置が記載されている。
【先行技術文献】
【特許文献】
【０００４】
【特許文献１】特開２００７−８１８１６号公報
【発明の概要】
【発明が解決しようとする課題】
【０００５】
上記特許文献１に記載の放送受信装置には、放送受信装置と他装置が同一装置ではないので、他装置に番組情報を送信する手間がかかるという問題や、視聴するのも他装置を動作させなければならないので手間がかかるという問題があった。
【０００６】
本発明は、このような実情に鑑みてなされたものであり、同じ放送局が同時間に異なった放送形式で異なった番組を放送する場合、ユーザに通知するデジタル放送受信装置を提供する。
【課題を解決するための手段】
【０００７】
本発明のデジタル放送受信装置は、第１の放送形式の放送を受信する第１の受信手段と、前記第１の放送形式とは異なる第２の放送形式の放送を受信する第２の受信手段と、受信した放送を表示する表示手段と、同じ放送局による前記第１の放送形式で放送されている番組と前記第２の放送形式で放送されている番組が同じであるかどうかを判定する判定手段とを備え、前記第１の放送形式および前記第２の放送形式のうち一方の放送形式の放送で放送されている番組を表示中、表示中の番組が同じ放送局による他方の放送形式で放送されている番組と異なっている場合、前記他方の放送形式では別の番組が放送されていることを示す表示を行うことを特徴とする。
【０００８】
前記第１の放送形式および前記第２の放送形式のうち一方の放送形式の放送で放送されている番組を表示中、表示中の番組が同じ放送局による他方の放送形式で放送されている番組と異なっている場合、前記他方の放送形式で放送されている番組の表示に切替える移動ボタンの表示も行うようにしてもよい。
【０００９】
本発明の他のデジタル放送受信装置は、第１の放送形式の放送を受信する第１の受信手段と、前記第１の放送形式とは異なる第２の放送形式の放送を受信する第２の受信手段と、受信した放送を表示する表示手段と、同じ放送局による前記第１の放送形式で放送されている番組と前記第２の放送形式で放送されている番組が同じであるかどうかを判定する判定手段とを備え、前記第１の放送形式および前記第２の放送形式のうち一方の放送形式の放送で放送されている番組を表示中、表示中の番組が同じ放送局による他方の放送形式で放送されている番組と異なっている場合、前記他方の放送形式で放送されている別の番組を子画面で表示することを特徴とする。
【００１０】
本発明のさらに他のデジタル放送受信装置は、第１の放送形式の放送を受信する第１の受信手段と、前記第１の放送形式とは異なる第２の放送形式の放送を受信する第２の受信手段と、受信した放送を表示する表示手段と、同じ放送局による前記第１の放送形式で放送されている番組と前記第２の放送形式で放送されている番組が同じであるかどうかを判定する判定手段と、前記第１の放送形式の放送の電子番組表および前記第２の放送形式の放送の電子番組表を生成する電子番組表生成手段とを備え、前記第１の放送形式の放送の電子番組表において、前記第２の放送形式の放送で別の番組を放送している番組に、前記第２の放送形式の放送で同じ番組を放送している番組と別の色を付け、前記第２の放送形式の放送の電子番組表において、前記第１の放送形式の放送で別の番組を放送している番組に、前記第１の放送形式の放送で同じ番組を放送している番組と別の色を付けることを特徴とする。
【００１１】
本発明のさらに他のデジタル放送受信装置は、第１の放送形式の放送を受信する第１の受信手段と、前記第１の放送形式とは異なる第２の放送形式の放送を受信する第２の受信手段と、受信した放送を表示する表示手段と、同じ放送局による前記第１の放送形式で放送されている番組と前記第２の放送形式で放送されている番組が同じであるかどうかを判定する判定手段と、前記第１の放送形式の放送の電子番組表および前記第２の放送形式の放送の電子番組表を生成する電子番組表生成手段とを備え、前記第１の放送形式の放送の電子番組表において、前記第２の放送形式の放送で別の番組を放送している番組にマークを付け、前記第２の放送形式の放送の電子番組表において、前記第１の放送形式の放送で別の番組を放送している番組にマークを付けることを特徴とするデジタル放送受信装置。
【００１２】
本発明のさらに他のデジタル放送受信装置は、第１の放送形式の放送を受信する第１の受信手段と、前記第１の放送形式とは異なる第２の放送形式の放送を受信する第２の受信手段と、受信した放送を表示する表示手段と、同じ放送局による前記第１の放送形式で放送されている番組と前記第２の放送形式で放送されている番組が同じであるかどうかを判定する判定手段と、前記第１の放送形式の放送の電子番組表および前記第２の放送形式の放送の電子番組表を生成する電子番組表生成手段とを備え、前記第１の放送形式の放送の電子番組表において、前記第２の放送形式の放送で別の番組を放送している番組の情報を表示する領域に、前記第２の放送形式の放送の番組の情報も表示し、前記第２の放送形式の放送の電子番組表において、前記第１の放送形式の放送で別の番組を放送している番組の情報を表示する領域に、前記第１の放送形式の放送の番組の情報も表示することを特徴とする。
【００１３】
前記第１の放送形式はフルセグ放送であり、前記第２の放送形式はワンセグ放送であってもよい。
【発明の効果】
【００１４】
本発明によれば、同じ放送局が同時間に異なった放送形式で異なった番組を放送する場合、ユーザに通知することで、ユーザが番組を見逃すことを防ぐことができる。
【図面の簡単な説明】
【００１５】
【図１】本発明のデジタル放送受信装置の構成の一例を示すブロック図である。
【図２】リモコン装置の外観の一例を示す図である。
【図３】テロップを表示した画面の一例を示す図である。
【図４】フルセグ放送の番組の視聴中の処理の一例を説明するフローチャートである。
【図５】子画面を表示した画面の一例を示す図である。
【図６】フルセグ放送の番組の視聴中の処理の他の例を説明するフローチャートである。
【図７】移動ボタン付きテロップを表示した画面の一例を示す図である。
【図８】フルセグ放送の番組の視聴中の処理のさらに他の例を説明するフローチャートである。
【図９】従来のフルセグ放送の電子番組表の一例を示す図である。
【図１０】従来のワンセグ放送の電子番組表の一例を示す図である。
【図１１】本発明のデジタル放送受信装置が表示するフルセグ放送の電子番組表の一例を示す図である。
【図１２】本発明のデジタル放送受信装置が表示するフルセグ放送の電子番組表の他の例を示す図である。
【図１３】本発明のデジタル放送受信装置が表示するフルセグ放送の電子番組表のさらに他の例を示す図である。
【図１４】電子番組表作成時の番組情報の取得手順について説明するフローチャートである。
【発明を実施するための形態】
【００１６】
以下、図面を参照して本発明の実施の形態について詳細に説明する。本発明を、フルセグ放送とワンセグ放送の両方の受信機能を搭載したテレビジョン装置として構成した場合を例として説明する。
【００１７】
図１は、本発明のデジタル放送受信装置の構成の一例を示すブロック図である。本発明のデジタル放送受信装置は、フルセグチューナ復調部２と、ワンセグチューナ復調部４と、フルセグ復号処理部６と、ワンセグ復号処理部８と、ＣＰＵ１０と、映像処理部１２と、番組情報処理部１４と、番組情報格納メモリ１６と、アンプ１８と、音声処理部２０と、ディスプレイ２２と、スピーカ２４と、リモコン受信部２６を備える。図１において、実線の矢印は、放送信号、音声信号、映像信号、番組情報信号の流れを表し、破線の矢印は、制御信号の流れを表す。
【００１８】
ＣＰＵ１０は、リモコン受信部２６を経て図示しないリモコン装置から受信したリモコン信号等に基づいて、フルセグチューナ復調部２、ワンセグチューナ復調部４、フルセグ復号処理部６、ワンセグ復号処理部８、映像処理部１２、番組情報処理部１４、番組情報格納メモリ１６、アンプ１８、および、音声処理部２０の各部を制御する。
【００１９】
図示しないアンテナ等によって受信したデジタル放送信号は、フルセグチューナ復調部２およびワンセグチューナ復調部４に入力される。フルセグチューナ復調部部２は、デジタル放送信号からフルセグ放送信号を復調し、フルセグ復号処理部６に供給する。ワンセグチューナ復調部４は、デジタル放送信号からワンセグ放送信号を復調し、ワンセグ復号処理部８に供給する。フルセグ復号処理部６は、フルセグ放送信号を復号し、映像信号を映像処理部１２に、音声信号を音声処理部２０に、番組情報信号を番組情報処理部１４に供給する。ワンセグ復号処理部８は、ワンセグ放送信号を復号し、映像信号を映像処理部１２に、音声信号を音声処理部２０に、番組情報信号を番組情報処理部１４に供給する。番組情報処理部１４は、ＣＰＵ１０の制御に応じて、番組情報信号を番組情報格納メモリ１６に格納し、必要に応じて番組情報信号を番組情報格納メモリ１６から取り出し、電子番組表等を生成して映像処理部１２に供給する。映像処理部１２は、映像信号や番組表等をディスプレイ２２での表示に適した映像信号に処理し、ディスプレイ２２に供給する。ディスプレイ２２は、映像信号に基づいて映像を表示する。アンプ１８は音声信号を増幅してスピーカ２４に供給する。スピーカ２４は、音声信号に基づいて音声を出力する。
【００２０】
図２は、リモコン装置の外観の一例を示す図である。リモコン装置は、デジタル放送受信装置の電源のオンオフを行う電源ボタン３０と、音量の調節を行う音量調節キー３２と、チャンネルの切換や数字の入力等を行うテンキー３４と、フルセグ放送の視聴を選択するフルセグキー３６と、ワンセグ放送の視聴を選択するワンセグキー３７と、利用する機能を選択する機能選択キー３８と、カーソル等の移動および選択した項目の決定等を行う選択決定キー４０とを有する。音量調節キー３２は、音量を上げる音量アップキー３２ａと、音量を下げる音量ダウンキー３２ｂとを含む。機能選択キー３８は、テレビ放送の視聴を選択するテレビキー３８ａと、データ放送の視聴を選択するデータ放送キー３８ｂと、番組に連動する連動データの表示を行うｄキー３８ｃとを含む。選択決定キー４０は、上方向キー４０ａと、下方向キー４０ｂと、右方向キー４０ｃと、左方向キー４０ｄと、決定キー４０ｅとを含む。
【００２１】
フルセグ放送とワンセグ放送のチャンネル番号は、次のような式で決まっている。
【００２２】
３桁チャンネル番号＝（サービス種別×２００）＋（リモコンキーＩＤ×１０）＋（サービス番号＋１）
【００２３】
ここで、サービス種別として、テレビサービス（固定受信サービス）（０）、データサービス（１と２）、部分受信サービス（携帯受信サービス）（３）が割り当てられている。リモコンキーＩＤは、例えば東京圏であればＮＨＫ総合が１、日本テレビが４などのように割り当てられている。サービス番号は、放送局が自局のサービスに０〜７などを割り当てている。例えば、フルセグ放送の０４１ｃｈには、ワンセグ放送の６４１ｃｈが対応する。このように、フルセグ放送のチャンネル番号から、対応するワンセグ放送のチャンネル番号を知ることができる。
【００２４】
フルセグ放送の番組と、対応するワンセグ放送の番組とは、番組情報（ジャンル、番組放送時間、番組名など）が一致した場合、同じ番組であると判定し、一致しない場合、違う番組であると判定する。
【００２５】
本発明の一実施の形態では、フルセグ放送の番組（あるいはワンセグ放送の番組）を視聴中、対応するワンセグ放送（あるいはフルセグ放送）で異なった番組を放送している場合、ユーザに通知する。例えば、フルセグ番組の視聴中、対応するワンセグ放送では別の番組をやっている場合にその旨を知らせるテロップを画面に表示する。図３は、このようなテロップを表示した画面の一例を示す図である。図３に示す例では、フルセグ放送の番組の視聴中、「ワンセグでは○○という番組がやっています」というテロップを表示し、ワンセグ放送では別の番組を放送していることをユーザに通知する。ワンセグ放送の番組の視聴中、「ワンセグ」を「フルセグ」に入れ替えた同様のテロップを表示して、フルセグ放送では別の番組を放送していることをユーザに通知するようにしてもよい。
【００２６】
以下、例として、図３の画面を表示するフルセグ放送の番組の視聴中の処理について説明する。図４は、フルセグ放送の番組の視聴中の処理の一例を説明するフローチャートである。
【００２７】
ステップＳ１０１において、フルセグ番組が更新されたのを検知し、ステップＳ１０２に進む。このフルセグ番組の更新は、選局しているフルセグチャンネルで新たな番組の開始が開始した場合と、新たにあるフルセグチャンネルを選局した場合とを含む。
【００２８】
ステップＳ１０２において、視聴しているフルセグ番組の情報を取得し、ステップＳ１０３に進む。
【００２９】
ステップＳ１０３において、選局しているフルセグチャンネルに対応するワンセグチャンネルにおいて放送している番組の情報を取得し、ステップＳ１０４に進む。
【００３０】
ステップＳ１０４において、取得したフルセグ番組の情報とワンセグ番組の情報が一致するかどうかを判定し、一致する場合はステップＳ１０５に進み、一致しない場合はステップＳ１０６に進む。
【００３１】
ステップＳ１０５において、フルセグ番組とワンセグ番組は同一番組であると認定し、処理を終了する。
【００３２】
ステップＳ１０６において、フルセグ番組とワンセグ番組は同一番組ではないと認定し、ステップＳ１０７に進む。
【００３３】
ステップＳ１０７において、例えば図３のように、ワンセグ放送では現在見ているフルセグ放送と異なる番組が放送されていることを知らせるテロップを画面に表示し、処理を終了する。ここで、一定時間を経過した場合や所定のリモコン操作が行われた場合にテロップの表示を消すようにしてもよい。
【００３４】
以上、フルセグ番組の視聴中の処理について説明したが、上記の説明の「フルセグ」と「ワンセグ」を入れ替えて同様の処理を行い、ワンセグ放送の番組の視聴中、フルセグ放送で別の番組を放送していることを通知するテロップを表示するようにしてもよい。
【００３５】
フルセグ放送の番組（あるいはワンセグ放送の番組）を視聴中、対応するワンセグ放送（あるいはフルセグ放送）で異なった番組を放送している場合、子画面にワンセグ番組（あるいはフルセグ番組）を表示するようにしてもよい。図５は、このような子画面を表示した画面の一例を示す図である。
【００３６】
以下、例として、子画面にワンセグ番組を表示するフルセグ放送の番組の視聴中の処理について説明する。図６は、フルセグ放送の番組の視聴中の処理の他の例を説明するフローチャートである。
【００３７】
ステップＳ２０１において、フルセグ番組が更新されたのを検知し、ステップＳ２０２に進む。このフルセグ番組の更新は、選局しているフルセグチャンネルで新たな番組の開始が開始した場合と、新たにあるフルセグチャンネルを選局した場合とを含む。
【００３８】
ステップＳ２０２において、視聴しているフルセグ番組の情報を取得し、ステップＳ２０３に進む。
【００３９】
ステップＳ２０３において、選局しているフルセグチャンネルに対応するワンセグチャンネルにおいて放送している番組の情報を取得し、ステップＳ２０４に進む。
【００４０】
ステップＳ２０４において、取得したフルセグ番組の情報とワンセグ番組の情報が一致するかどうかを判定し、一致する場合はステップＳ２０５に進み、一致しない場合はステップＳ２０６に進む。
【００４１】
ステップＳ２０５において、フルセグ番組とワンセグ番組は同一番組であると認定し、処理を終了する。
【００４２】
ステップＳ２０６において、フルセグ番組とワンセグ番組は同一番組ではないと認定し、ステップＳ２０７に進む。
【００４３】
ステップＳ２０７において、例えば図５のように、ワンセグ番組を子画面に表示し、処理を終了する。
【００４４】
以上、フルセグ番組の視聴中の処理について説明したが、上記の説明の「フルセグ」と「ワンセグ」を入れ替えて同様の処理を行い、ワンセグ放送の番組の視聴中、ワンセグ番組とは異なるフルセグ番組を子画面に表示するようにしてもよい。
【００４５】
フルセグ番組の視聴中、対応するワンセグ放送では別の番組をやっている場合にその旨を知らせるテロップを画面に表示すると共に、ワンセグ放送の表示に切替える移動ボタンを表示するようにしてもよい。図７は、このような移動ボタン付きテロップを表示した画面の一例を示す図である。図７の上部に示す例では、フルセグ放送の番組の視聴中、「ワンセグでは○○という番組がやっています」というテロップを表示し、ワンセグ放送では別の番組を放送していることをユーザに通知すると共に、「ワンセグへ」と記された移動ボタンを表示する。図７の上部に示す移動ボタン付きテロップが表示された状態でリモコン操作などによって移動ボタンが押されると、図７の下部に示すようにワンセグ番組の表示に切り替わる。ワンセグ放送の番組の視聴中、「ワンセグ」を「フルセグ」に入れ替えた同様の移動ボタン付きテロップを表示して、ワンセグ放送では別の番組を放送していることをユーザに通知すると共に、ワンセグ番組の表示に切替えられるようにしてもよい。
【００４６】
以下、例として、図７の画面を表示するフルセグ放送の番組の視聴中の処理について説明する。図８は、フルセグ放送の番組の視聴中の処理のさらに他の例を説明するフローチャートである。
【００４７】
ステップＳ３０１において、フルセグ番組が更新されたのを検知し、ステップＳ３０２に進む。このフルセグ番組の更新は、選局しているフルセグチャンネルで新たな番組の開始が開始した場合と、新たにあるフルセグチャンネルを選局した場合とを含む。
【００４８】
ステップＳ３０２において、視聴しているフルセグ番組の情報を取得し、ステップＳ３０３に進む。
【００４９】
ステップＳ３０３において、選局しているフルセグチャンネルに対応するワンセグチャンネルにおいて放送している番組の情報を取得し、ステップＳ３０４に進む。
【００５０】
ステップＳ３０４において、取得したフルセグ番組の情報とワンセグ番組の情報が一致するかどうかを判定し、一致する場合はステップＳ３０５に進み、一致しない場合はステップＳ３０６に進む。
【００５１】
ステップＳ３０５において、フルセグ番組とワンセグ番組は同一番組であると認定し、処理を終了する。
【００５２】
ステップＳ３０６において、フルセグ番組とワンセグ番組は同一番組ではないと認定し、ステップＳ３０７に進む。
【００５３】
ステップＳ３０７において、例えば図７の上部のように、ワンセグ放送では現在見ているフルセグ放送と異なる番組が放送されていることを知らせるテロップを、ワンセグ番組の表示に切替える移動ボタンと共に画面に表示し、ステップＳ３０８に進む。
【００５４】
ステップＳ３０８において、リモコン操作等により移動ボタンが押下されたかどうかを判定し、押下された場合はステップＳ３０９に進み、押下されていない場合はステップＳ３０８を繰りかえす。ここで、一定時間を経過した場合や所定のリモコン操作が行われた場合に移動ボタン付きテロップの表示を消すようにしてもよい。
【００５５】
ステップＳ３０９において、図７の下部のようにワンセグ番組の表示に切り替え、処理を終了する。
【００５６】
以上、フルセグ番組の視聴中の処理について説明したが、上記の説明の「フルセグ」と「ワンセグ」を入れ替えて同様の処理を行い、ワンセグ放送の番組の視聴中、フルセグ放送で別の番組を放送していることを通知するテロップを、フルセグ番組の画面に切替える移動ボタンと共に表示するようにしてもよい。
【００５７】
本発明の他の実施形態では、同じ放送局が同一時間帯で放送するフルセグ番組とワンセグ番組が異なる場合、電子番組表においてそのことをユーザに通知する。図９は、従来のフルセグ放送の電子番組表の一例を示す図であり、図１０は、従来のワンセグ放送の電子番組表の一例を示す図である。図９および図１０に示す例では、フルセグ放送では、「０２１ｃｈ」の１１：００−１３：００の時間帯には番組「ｂｂｂｂ」が放送され、１３：００−１５：００の時間帯には番組「ｂｂｂ」が放送される。一方ワンセグ放送では、１１：００-１５：００の時間帯に番組「ｂｂｂｂ」が放送される。つまり、１３：００−１５：００の時間帯では、フルセグ放送とワンセグ放送で別の番組が放送されることになる。図９のフルセグ放送の電子番組表、あるいは、図１０のワンセグ放送の電子番組表の一方を見ただけでは、他方の放送形態で異なった番組が放送されることを知ることはできない。
【００５８】
本発明のデジタル放送受信装置では、フルセグ放送の電子番組表において、ワンセグ放送で別の番組を放送している番組に、ワンセグ放送で同じ番組を放送している番組と違う色を付けるようにしてもよい。図１１は、本発明のデジタル放送受信装置が表示するフルセグ放送の電子番組表の一例を示す図である。ここで、図９および図１０に示す従来の電子番組表の例と同様に、フルセグ放送では、「０２１ｃｈ」の１１：００−１３：００の時間帯には番組「ｂｂｂｂ」が放送され、１３：００−１５：００の時間帯には番組「ｂｂｂ」が放送され、ワンセグ放送では、１１：００-１５：００の時間帯に番組「ｂｂｂｂ」が放送されているとする。図１１のフルセグ番組表では、「０２１ｃｈ」の１３：００−１５：００の時間帯に、ワンセグ放送では別の番組を放送していることを示すために、ワンセグ放送で同じ番組を放送している他のフルセグ放送の番組とは異なった色を付ける。ワンセグ放送の電子番組表において、図１１の例と同様に、フルセグ放送で別の番組を放送している番組に、フルセグ放送で同じ番組を放送している番組と違う色を付けるようにしてもよい。
【００５９】
本発明のデジタル放送受信装置では、フルセグ放送の電子番組表において、ワンセグ放送で別の番組を放送している番組にマークを付けるようにしてもよい。図１２は、本発明のデジタル放送受信装置が表示するフルセグ放送の電子番組表の他の例を示す図である。ここで、図９および図１０に示す従来の電子番組表の例と同様に、フルセグ放送では、「０２１ｃｈ」の１１：００−１３：００の時間帯には番組「ｂｂｂｂ」が放送され、１３：００−１５：００の時間帯には番組「ｂｂｂ」が放送され、ワンセグ放送では、１１：００-１５：００の時間帯に番組「ｂｂｂｂ」が放送されているとする。図１１のフルセグ番組表では、「０２１ｃｈ」の１３：００−１５：００の時間帯に、ワンセグ放送では別の番組を放送していることを示すマークを付ける。図１２に示す星マークは一例であり、他の形状のマークであってもかまわない。ワンセグ放送の電子番組表において、図１１の例と同様に、フルセグ放送で別の番組を放送している番組にマークを付けるようにしてもよい。
【００６０】
本発明のデジタル放送受信装置が表示するフルセグ放送（あるいはワンセグ放送）の番組表においては、図１１の色づけや、図１２のマーク以外にも、フルセグ放送（あるいはワンセグ放送）で同じ番組を放送しているフルセグ放送（あるいはワンセグ）の番組と、フルセグ放送（あるいはワンセグ放送）で違う番組を放送しているフルセグ放送（あるいはワンセグ）の番組と区別がつくどのような方法を用いてもかまわない。
【００６１】
本発明のデジタル放送受信装置では、フルセグ放送の電子番組表において、ワンセグ放送で別の番組を放送している番組の情報を表示する領域にワンセグ番組の情報も併記するようにしてもよい。図１３は、本発明のデジタル放送受信装置が表示するフルセグ放送の電子番組表のさらに他の例を示す図である。ここで、図９および図１０に示す従来の電子番組表の例と同様に、フルセグ放送では、「０２１ｃｈ」の１１：００−１３：００の時間帯には番組「ｂｂｂｂ」が放送され、１３：００−１５：００の時間帯には番組「ｂｂｂ」が放送され、ワンセグ放送では、１１：００-１５：００の時間帯に番組「ｂｂｂｂ」が放送されているとする。図１３のフルセグ番組表では、「０２１ｃｈ」の１３：００−１５：００の時間帯に、フルセグ放送で放送される番組の情報と共に、ワンセグ放送で放送される番組の情報も表示する。表示するワンセグ番組の情報は、ワンセグ放送の電子番組表に表示するものと同様のものでもよく、省略したものでもよい。ワンセグ放送の電子番組表において、図１３の例と同様に、フルセグ放送で別の番組を放送している番組の情報を表示する領域にフルセグ番組の情報も併記するようにしてもよい。
【００６２】
図１１乃至図１３で例として示すような電子番組表を作成する場合、すべての放送局が放送するすべての番組について、フルセグ放送とワンセグ放送が同じ番組を放送するか、または違う番組を放送するか、チェックする必要がある。図１４は、電子番組表作成時の番組情報の取得手順について説明するフローチャートである。ステップＳ４０１において、ある放送局のフルセグ放送を選局し、ステップＳ４０２に進む。選局したフルセグ放送の番組情報を取得し、ステップＳ４０３に進む。ステップＳ４０３において、フルセグ放送を行っている放送局と同じ局のワンセグ放送の番組情報を取得し、ステップＳ４０４に進む。ステップＳ４０４において、取得したフルセグ放送の番組情報とワンセグ放送の番組情報とを比較し、両方の番組情報が一致した場合はステップＳ４０５に進み、一致しない場合はステップＳ４０６に進む。ステップＳ４０５において、フルセグ番組とワンセグ番組は同じ番組であると判定し、番組情報格納メモリ１６に、ワンセグ放送で同じ番組を放送しているフルセグ番組、および、フルセグ放送で同じ番組を放送しているワンセグ番組として各々格納し、ステップＳ４０７に進む。ステップＳ４０６において、フルセグ番組とワンセグ番組は違う番組であると判定し、番組情報格納メモリ１６に、ワンセグ放送では違う番組を放送しているフルセグ番組、および、フルセグ放送では違う番組を放送しているワンセグ番組として各々格納し、ステップＳ４０７に進む。ステップＳ４０７において、すべての放送局の番組情報を取得できたかどうかを判定し、できた場合は処理を終了し、できていない場合はステップＳ４０８に進む。ステップＳ４０８において、違う放送局のフルセグ放送を選局し、ステップＳ４０２に戻る。
【００６３】
本発明のデジタル放送受信装置の番組情報処理部１４は、このようにして番組情報格納メモリ１６に格納したフルセグ番組の情報およびワンセグ番組の情報に基づいて図１１乃至図１３で例として示すような電子番組表を作成し、ＣＰＵ１０は、リモコン受信部２６を経てリモコン装置から受けた指示に従って、電子番組表をディスプレイ２２に表示させる。
【００６４】
以上、本発明を、フルセグ放送とワンセグ放送の両方の受信機能を搭載したテレビジョン装置として構成した場合を例として説明したが、本発明は、フルセグ放送とワンセグ放送の両方の受信機能を搭載したものであれば、レコーダ等においても適用可能である。また、本発明は、フルセグ放送とワンセグ放送に限らず、同じ放送局が異なった放送形態において同じ番組と異なった番組を放送する場合であれば適用可能である。
【産業上の利用可能性】
【００６５】
本発明は、デジタル放送受信装置に利用可能である。
【符号の説明】
【００６６】
２  フルセグチューナ復調部
４  ワンセグチューナ復調部
６  フルセグ復号処理部
８  ワンセグ復号処理部
１０  ＣＰＵ
１２  映像処理部
１４  番組情報処理部
１６  番組情報格納メモリ
１８  アンプ
２０  音声処理部
２２  ディスプレイ
２４  スピーカ
２６  リモコン受信部
３０  電源
【図１】
2011124644.tif 000003
【図２】
2011124644.tif 000004
【図３】
2011124644.tif 000005
【図４】
2011124644.tif 000006
【図５】
2011124644.tif 000007
【図６】
2011124644.tif 000008
【図７】
2011124644.tif 000009
【図８】
2011124644.tif 000010
【図９】
2011124644.tif 000011
【図１０】
2011124644.tif 000012
【図１１】
2011124644.tif 000013
【図１２】
2011124644.tif 000014
【図１３】
2011124644.tif 000015
【図１４】
2011124644.tif 000016